(57)【要約】【課題】簡易な構造でありながらも建物内空間の間仕切壁や収納等のレイアウト変更を容易に行い得る間仕切装置を提供する。【解決手段】間仕切装置１は、所定間隔を空けて互いに略平行となるように上下方向に沿って壁下地２に固定され、壁面を形成するように並設されるパネル体５の側端部５ａが前面１０ａに固定される複数のパネル固定フレーム１０と、前記パネル体の前面側から前記パネル固定フレームに固定止具９によって着脱自在に固定されるアダプター１１と、前記アダプターに一側端部１７ａが連結されて、前記パネル体の並設方向に対して略直交する方向に配設される間仕切パネル１７と、を備え、前記アダプター及び前記間仕切パネルの一側端部は、互いに係合する係合突部１３及び係合凹部１５を有するとともに、固定止具９によって着脱自在に連結固定される構造とされている。【選択図】図１
2012197594.tif 000002
【特許請求の範囲】
【請求項１】
所定間隔を空けて互いに略平行となるように上下方向に沿って壁下地に固定され、壁面を形成するように並設されるパネル体の側端部が前面に固定される複数のパネル固定フレームと、
前記パネル体の前面側から前記パネル固定フレームに固定止具によって着脱自在に固定されるアダプターと、
前記アダプターに一側端部が連結されて、前記パネル体の並設方向に対して略直交する方向に配設される間仕切パネルと、を備え、
前記アダプター及び前記間仕切パネルの一側端部は、互いに係合する係合突部及び係合凹部を有するとともに、固定止具によって着脱自在に連結固定される構造とされていることを特徴とする間仕切装置。
【請求項２】
請求項１において、
前記アダプターは、前記パネル固定フレームに固定される固定片と、この固定片の幅方向両側から前記パネル体の並設方向に対して略直交する方向に突出する一対の係合突片とを備えており、
前記間仕切パネルの一側端部には、前記一対の係合突片を受け入れるようにして前記アダプターに嵌合する係合凹所を有するとともに当該間仕切パネルの一側端部に嵌合固定される固定凹所を有した横断面略Ｈ字状の端部アダプターが固定されていることを特徴とする間仕切装置。
【請求項３】
請求項１または２において、
前記間仕切パネルの上端部及び下端部には、上下方向に沿って伸縮するアジャスターが設けられていることを特徴とする間仕切装置。
【発明の詳細な説明】
【技術分野】
【０００１】
本発明は、住居等の建物に施工される間仕切パネルを備えた間仕切装置に関する。
【背景技術】
【０００２】
従来より建物内の壁面に、該壁面に直交する方向に突き出すように間仕切壁を設けたり、収納棚やカウンターテーブル、作業台（作業机）等を設けたりすることが行われている。このような間仕切壁や収納棚等は、一般的には上記壁面に付設するようにして現場にて造作されることが多い。このような施工態様では、レイアウト変更等をする際に大掛かりな作業が必要となる。また、収納棚やカウンターテーブル等を安定的に支持するためには、これらを支持する間仕切壁や腰壁、側板等を現場造作する必要があるとともに、レイアウト変更等をする際にも大掛かりな作業が必要となる。
【０００３】
下記特許文献１では、一対の縦枠と、これら縦枠間に所定間隔を隔てて横架される一対の壁面パネルとを備えた間仕切壁が提案されている。この間仕切壁では、縦枠の両リブ面に収納設備を構成する部材を取り付けるための受け部としてナット部を高さ方向に複数設け、壁面パネルの側縁部に高さ方向に沿って逆テーパ状の溝を設けた構造とされている。また、隣接する間仕切壁の壁面パネルの溝部に挟みライナーを嵌め込み、この挟みライナーに形成された孔に、収納設備の側板に埋め込まれた連結具に歯合するボルトを通し、該ボルトを縦枠のナット部に締結させて収納設備の側板を縦枠に固定する構造とされている。
【先行技術文献】
【特許文献】
【０００４】
【特許文献１】特開２００１−３４９８号公報
【発明の概要】
【発明が解決しようとする課題】
【０００５】
しかしながら、上記特許文献１に記載された間仕切壁では、収納設備を構成する側板に複雑な加工を施す必要があり、また、この側板と縦枠との連結構造も複雑なものであり、更なる改善が望まれていた。
【０００６】
本発明は、上記実情に鑑みてなされたものであり、簡易な構造でありながらも建物内空間の間仕切壁や収納等のレイアウト変更を容易に行い得る間仕切装置を提供することを目的としている。
【課題を解決するための手段】
【０００７】
上記目的を達成するために、本発明に係る間仕切装置は、所定間隔を空けて互いに略平行となるように上下方向に沿って壁下地に固定され、壁面を形成するように並設されるパネル体の側端部が前面に固定される複数のパネル固定フレームと、前記パネル体の前面側から前記パネル固定フレームに固定止具によって着脱自在に固定されるアダプターと、前記アダプターに一側端部が連結されて、前記パネル体の並設方向に対して略直交する方向に配設される間仕切パネルと、を備え、前記アダプター及び前記間仕切パネルの一側端部は、互いに係合する係合突部及び係合凹部を有するとともに、固定止具によって着脱自在に連結固定される構造とされていることを特徴とする。
【０００８】
本発明においては、前記アダプターを、前記パネル固定フレームに固定される固定片と、この固定片の幅方向両側から前記パネル体の並設方向に対して略直交する方向に突出する一対の係合突片とを備えたものとし、前記間仕切パネルの一側端部に、前記一対の係合突片を受け入れるようにして前記アダプターに嵌合する係合凹所を有するとともに当該間仕切パネルの一側端部に嵌合固定される固定凹所を有した横断面略Ｈ字状の端部アダプターを固定するようにしてもよい。
また、本発明においては、前記間仕切パネルの上端部及び下端部に、上下方向に沿って伸縮するアジャスターを設けるようにしてもよい。
【発明の効果】
【０００９】
本発明に係る間仕切装置は、上述のような構成としたことで、簡易な構造でありながらも建物内空間の間仕切壁や収納等のレイアウト変更を容易に行うことができる。
【図面の簡単な説明】
【００１０】
【図１】（ａ）〜（ｄ）は、いずれも本発明の一実施形態に係る間仕切装置の一例の施工手順を模式的に示し、（ａ）〜（ｃ）は、一部破断概略横断面図、（ｄ）は、同間仕切装置が備える間仕切パネルの一部破断概略側面図である。
【図２】同間仕切装置が施工された状態及びその施工手順の一例を模式的に示す一部破断概略斜視図である。
【発明を実施するための形態】
【００１１】
以下に本発明の実施の形態について、図面に基づいて説明する。
なお、以下の実施形態では、間仕切装置が施工された状態において、パネル体に対面した使用者を基準として、前後方向や上下方向等の方向を説明する。
【００１２】
図１及び図２は、本実施形態に係る間仕切装置の一例について説明するための概念的な説明図である。
本実施形態に係る間仕切装置１は、図２に示すように、所定間隔を空けて互いに略平行となるように上下方向に沿って壁下地２に固定される複数のパネル固定フレーム１０を備えている。このパネル固定フレーム１０の前面１０ａには、壁面を形成するように並設されるパネル体５の側端部５ａが固定される（図１（ａ）も参照）。
また、間仕切装置１は、パネル体５の前面側からパネル固定フレーム１０に固定止具９によって着脱自在に固定されるアダプター１１と、このアダプター１１に一側端部１７ａが連結される間仕切パネル１７とを備えている（図１（ａ）も参照）。これらアダプター１１と間仕切パネル１７の一側端部１７ａとは、互いに係合する係合突部１３，１３及び係合凹部１５を有し、固定止具９によって着脱自在に連結固定される構造とされている（図１（ｂ）、（ｃ）も参照）。
【００１３】
壁下地２は、胴縁や桟部材、間柱、通し柱、下地パネル等としてもよい。または、このような木造の壁下地とする態様に限られず、鉄筋コンクリート造等の建築物において、直壁仕上げ等とされている場合には、その仕上げ面を壁下地としてもよい。
図例では、この壁下地２に、上下方向に長尺の複数枚のパネル体５を、パネル固定フレーム１０を介して固定した例を示している。
このパネル体５は、図２に示すように、床面４近傍から天井面３近傍に至るような高さ寸法とされている。
【００１４】
パネル固定フレーム１０は、長尺に形成されており、図１（ａ）に示すように、中空を有した四角筒状とされている。このパネル固定フレーム１０の長さ寸法は、本実施形態では、図２に示すように、床面４近傍から天井面３近傍に至るような長さ寸法とされている。
また、パネル固定フレーム１０は、その後面を壁下地２に当接させて長手方向を上下方向に沿わせて壁下地２に固定される。このパネル固定フレーム１０の壁下地２への固定は、ボルトやねじ等の固定止具によって固定するようにしてもよく、接着剤等によって接着固定するようにしてもよい。
【００１５】
また、パネル固定フレーム１０は、左右方向に所定間隔を空けて互いに略平行となるように上下方向に沿って壁下地２に固定される。これら複数のパネル固定フレーム１０，１０の固定間隔は、その前面１０ａに固定されるパネル体５の幅寸法に応じた寸法とされている。このパネル固定フレーム１０の前面１０ａには、図１（ａ）に示すように、左右方向に沿って並設される複数のパネル体５の隣接するパネル体５，５同士の側端部５ａ，５ａが突き合わせられるようにして固定される。なお、図２に示すように、左右方向両側端部（例えば壁下地２に隣接する壁体との入隅部）に配設されるパネル固定フレーム１０の前面１０ａには、単一のパネル体５の側端部５ａを固定するようにしてもよい。
【００１６】
このパネル固定フレーム１０へのパネル体５の固定は、ボルトやねじ等の固定止具を用いて固定したり、接着剤等により接着固定したりするようにしてもよい。または、パネル固定フレーム１０の前面１０ａ及びパネル体５の側端部５ａの背面に互いに係合する係合金具等を設け、これらを係合させることでパネル体５をパネル固定フレーム１０の前面１０ａに固定する態様としてもよい。これによれば、パネル体５を容易に施工することができる。
このように所定間隔を空けて壁下地２に固定された複数のパネル固定フレーム１０のそれぞれの前面１０ａに、複数枚のパネル体５を、隣接するパネル体５，５同士の側端部５ａ，５ａを突き合わせるようにして固定することで壁面が形成される。
【００１７】
アダプター１１は、図１（ａ）、（ｂ）に示すように、上記のように前面１０ａにパネル体５の側端部５ａが固定されたパネル固定フレーム１０に対して、パネル体５の前面側から固定止具９によって着脱自在に固定される。
本実施形態では、アダプター１１は、図２に示すように、上下方向に沿って長尺とされており、パネル固定フレーム１０の長さ寸法と略同寸法の長さ寸法とされている。なお、このような長尺とされたものに限られず、上下方向に沿って間隔を空けてパネル固定フレーム１０に固定される比較的に短尺のアダプター１１としてもよい。
【００１８】
また、アダプター１１は、図１（ａ）に示すように、パネル固定フレーム１０に固定される固定片１２と、この固定片１２の幅方向両側から前方に向けて突出し、係合突部となる一対の係合突片１３，１３とを備え、横断面略コ字状（Ｕ字状乃至はＣ字状）とされている。
このアダプター１１は、上記のように所定間隔を空けて壁下地２に固定された複数のパネル固定フレーム１０のうち、後記する間仕切パネル１７を配設したい位置のパネル固定フレーム１０に対して固定される。
【００１９】
このアダプター１１のパネル固定フレーム１０への固定は、図１（ａ）、（ｂ）に示すように、上記のように突き合わせられた隣接するパネル体５，５同士の側端部５ａ，５ａに、止具挿通孔６を切削等により形成し、パネル固定フレーム１０の前面１０ａを露出させる。次いで、アダプター１１の固定片１２を隣接するパネル体５，５同士の側端部５ａ，５ａの前面に当接させ、固定片１２、止具挿通孔６を介して固定止具９によってパネル固定フレーム１０に固定（締結）するようにしてもよい。
【００２０】
なお、これらパネル固定フレーム１０及びアダプター１１の固定止具９の止着箇所に、例えば、埋め込みナット等からなる雌ねじ孔や止具挿通孔等を適宜、設けるようにしてもよい。例えば、パネル固定フレーム１０の前面側に上下方向に沿って間隔を空けて、固定止具９に螺合する複数の雌ねじ孔を予め設けておき、アダプター１１の固定片１２には該雌ねじ孔に対応する位置に、前後方向に貫通する複数の止具挿通孔を予め設けておくようにしてもよい。または、パネル固定フレーム１０に雌ねじ孔を設けずにアダプター１１の固定片１２の止具挿通孔を介して固定止具９を挿通し、パネル固定フレーム１０に捩じ込むことで、これらを連結固定する態様としてもよい。
また、パネル体５の側端部５ａに止具挿通孔６を形成する態様に代えて、パネル固定フレーム１０の前面１０ａを露出させるようにスリット状の止具挿通開口をパネル体５の側端部５ａに形成するようにしてもよい。または、このような止具挿通箇所を設けずに、固定止具９によってパネル体５の側端部５ａを貫通させてアダプター１１をパネル固定フレーム１０に連結固定する態様としてもよい。
【００２１】
間仕切パネル１７は、上記のように固定されたアダプター１１に一側端部１７ａが連結されて、パネル体５の並設方向に対して略直交する方向（前後方向）に当該間仕切パネル１７のパネル幅方向を沿わせるようにして配設される。
この間仕切パネル１７の高さ寸法は、床面４近傍から天井面３近傍に略至るまでの高さ寸法とされている。
また、本実施形態では、この間仕切パネル１７の一側端部１７ａに、アダプター１１の一対の係合突片１３，１３に係合する端部アダプター１４を固定して設けている。
【００２２】
端部アダプター１４は、図１（ｂ）に示すように、アダプター１１の一対の係合突片１３，１３を受け入れるようにしてアダプター１１に嵌合する係合凹部としての係合凹所１５と、間仕切パネル１７の一側端部１７ａに嵌合固定される固定凹所１６とを有している。
この端部アダプター１４は、これら前方に開口する係合凹所１５と後方に開口する固定凹所１６とを有した横断面略Ｈ字状とされている。
また、この端部アダプター１４は、本実施形態では、図２に示すように、間仕切パネル１７の高さ寸法と略同寸法の長さ寸法とされ、間仕切パネル１７の一側端部１７ａに嵌合固定される。なお、このような長尺とされたものに限られず、上記アダプター１１に対応させて、上下方向に沿って間隔を空けて間仕切パネル１７の一側端部１７ａに嵌合固定される比較的に短尺の端部アダプター１４としてもよい。
【００２３】
この端部アダプター１４の固定凹所１６と間仕切パネル１７の一側端部１７ａとの固定は、嵌合させることで固定するのみでもよく、またはこれに加えて接着剤等によって接着固定するようにしてもよい。
この端部アダプター１４を設けた間仕切パネル１７とアダプター１１との連結固定は、図１（ｂ）、（ｃ）に示すように、端部アダプター１４の係合凹所１５に、アダプター１１の一対の係合突片１３，１３を受け入れるようにして嵌合させる。次いで、端部アダプター１４の係合凹所１５を形成する両側片部とアダプター１１の一対の係合突片１３，１３とをそれぞれ固定止具９，９によって左右両側から固定（締結）することで連結固定するようにしてもよい。
【００２４】
なお、これらアダプター１１及び端部アダプター１４の固定止具９の止着箇所に、上記同様、雌ねじ孔や止具挿通孔等を適宜、設けるようにしてもよい。例えば、アダプター１１の一対の係合突片１３，１３に、固定止具９に螺合する複数の雌ねじ孔を上下方向に沿って間隔を空けてそれぞれ予め設けておき、端部アダプター１４の上記両側片部には該雌ねじ孔に対応する位置に、止具挿通孔をそれぞれ予め設けておくようにしてもよい。または、アダプター１１の一対の係合突片１３，１３に雌ねじ孔を設けずに端部アダプター１４の止具挿通孔を介して固定止具９を挿通し、アダプター１１の一対の係合突片１３，１３に捩じ込むことで、これらを連結固定する態様としてもよい。
【００２５】
また、本実施形態では、この間仕切パネル１７の上端部及び下端部に、図２に示すように、アジャスター１８，１９（上端アジャスター１８及び下端アジャスター１９）を設けている。これらアジャスター１８，１９は、図２に示すように、間仕切パネル１７の上端部及び下端部のそれぞれにおいて、パネル幅方向両側端部近傍にそれぞれ設けられている。
これらアジャスター１８，１９は、図１（ｄ）に示すように、略同様の構成とされ、間仕切パネル１７の上端部及び下端部に埋め込まれた雌ねじ部１８ｂ，１９ｂと、この雌ねじ部１８ｂ，１９ｂに螺合する雄ねじ部を有した伸縮頭部１８ａ，１９ａとを備えている。
【００２６】
これらアジャスター１８，１９は、伸縮頭部１８ａ，１９ａの摘み部を操作することで、雌ねじ部１８ｂ、１９ｂに対して雄ねじ部が上下に進退し、伸縮頭部１８ａ，１９ａが上下方向に沿って伸縮する構成とされている。
このようなアジャスター１８，１９を間仕切パネル１７の上下に設けることで、天井面３や床面４の不陸を吸収することができる。また、上下のアジャスター１８，１９を伸長させて天井面３及び床面４に当接（圧接）させることで、上記のように一側端部１７ａがアダプター１１に連結された間仕切パネル１７の安定性を向上させることができる。
【００２７】
なお、これらアジャスター１８，１９の伸縮調整は、上記のように間仕切パネル１７の一側端部１７ａに設けられた端部アダプター１４をアダプター１１に係合させた後、固定止具９によってこれらを連結固定する前に行うようにしてもよい。
また、各アジャスター１８，１９の伸縮頭部１８ａ，１９ａの天井面３及び床面４への当接面に、滑止部材を設けるようにしてもよい。このような滑止部材としては、天然ゴムや合成ゴム、合成樹脂エラストマーなどのエラストマー系材料や、軟質合成樹脂系材料、発泡（フォーム）系材料などからなるものが挙げられる。
さらに、上下方向に沿って伸縮するアジャスター１８，１９としては、図例のようなものに限られず、種々のアジャスターの採用が可能である。
【００２８】
また、本実施形態では、図２に示すように、間仕切パネル１７として、パネル幅寸法（前後寸法）の異なる複数の間仕切パネル１７Ａ，１７Ｂを例示している。図例では、パネル幅寸法が比較的に小さく形成された間仕切パネル１７Ａと、パネル幅寸法が比較的に大きく形成された間仕切パネル１７Ｂとを例示している。
このように、本実施形態に係る間仕切装置１では、パネル幅寸法を異ならせた間仕切パネル１７を施工箇所や用途に応じて容易に配設することができる。
【００２９】
また、本実施形態では、間仕切パネル１７の表裏面（左右両面）に、棚板７や作業台（作業机）８、カウンターテーブル（不図示）等の横板の取付支持が可能な横板支持部を設けている。このような横板支持部としては、隣接する間仕切パネル１７，１７同士の対向面に、対向方向に沿って突出する横板支持片を設けた構成としたり、互いに向き合う方向に開口する断面略コ字状（Ｕ字状乃至はＣ字状）の横板挟持片を設けた構成としたりしてもよい。また、上下方向に沿って間隔を空けて複数の横板支持部を設けるようにしてもよい。
【００３０】
さらには、間仕切パネル１７の左右両面に、上記のような横板支持部を取り付ける複数の取付凹所等を上下方向に沿って間隔を空けて設けておき、必要に応じて横板支持部を取り付け得る態様としてもよい。または、このような横板支持部や取付凹所等を設けずに、間仕切パネル１７の対向面に横板を支持するＬ型金具等を固定したり、間仕切パネル１７の反対向面側から固定止具を貫通させて横板に止着させ、横板を支持したりする態様としてもよい。
このような横板を隣接する間仕切パネル１７，１７間に架設することで、当該間仕切装置１を、間仕切収納装置として機能させたり、間仕切テーブル装置として機能させたりすることができる。
【００３１】
なお、上記したパネル固定フレーム１０、アダプター１１及び端部アダプター１４は、金属系材料や硬質の合成樹脂系材料から形成されたものとしてもよい。
また、上記したパネル固定フレーム１０、アダプター１１及び端部アダプター１４を設けた間仕切パネル１７の施工手順は、各部材の機能を阻害しないように適宜の手順で組み付け、施工するようにすればよい。
【００３２】
上記構成とされた本実施形態に係る間仕切装置１によれば、簡易な構造でありながらも建物内空間の間仕切壁や収納等のレイアウト変更を容易に行うことができる。
つまり、壁下地２に所定間隔を空けて固定される複数のパネル固定フレーム１０に対して着脱自在に固定されるアダプター１１と、このアダプター１１に一側端部１７ａが着脱自在に連結固定される間仕切パネル１７とを備えている。従って、間仕切パネル１７を設けたい位置のパネル固定フレーム１０に対してアダプター１１を固定し、このアダプター１１に対して間仕切パネル１７の一側端部１７ａを着脱自在に連結することができる。これにより、レイアウト変更に柔軟に対応できるとともに容易にレイアウト変更を行うことができる。
【００３３】
また、パネル固定フレーム１０の前面１０ａには、壁面を形成するように並設されるパネル体５の側端部５ａが固定されるので、間仕切パネル１７を前面側に設けないパネル固定フレーム１０の前面１０ａは壁面となるので外観を損なうことがない。
さらに、アダプター１１と間仕切パネル１７の一側端部１７ａとは、互いに係合する係合突部（一対の係合突片１３，１３）及び係合凹部（係合凹所１５）を有しているので、これらを係合させて固定止具９によって固定することができるので簡易な構造とできる。
さらにまた、複数のアダプター１１を左右方向に間隔を空けてパネル固定フレーム１０に固定し、これらアダプター１１に対してそれぞれ間仕切パネル１７を固定することもできる。これにより、二枚の間仕切パネル１７，１７によって半プライベートな書斎等の空間を区画形成したり、また、図２に示すように、これら間仕切パネル１７，１７間に棚板７や作業台８等の横板を安定的に設けたりすることもできる。
【００３４】
つまりは、本実施形態に係る間仕切装置１によれば、間仕切パネル１７によって空間を半プライベート的に分割、区画したり、二枚の間仕切パネル１７，１７間に横板を架設して収納空間や作業空間を形成したりすることができる。
また、レイアウト変更をしたい場合にもアダプター１１から間仕切パネル１７を脱離させ、パネル固定フレーム１０（壁面）からアダプター１１を脱離させることで、容易にレイアウト変更を行うことができる。
【００３５】
また、本実施形態では、アダプター１１を、固定片１２と、一対の係合突片１３，１３とを備えたものとし、間仕切パネル１７の一側端部１７ａに、横断面略Ｈ字状の端部アダプター１４を固定して設けた構成としている。従って、横断面略Ｈ字状の端部アダプター１４の係合凹所１５に、アダプター１１の一対の係合突片１３，１３を嵌合させて固定止具９で容易に固定することができる。
【００３６】
さらに、上記のようにパネル幅寸法（前後寸法）の異なる間仕切パネル１７Ａ，１７Ｂを配設する際にも、これらの一側端部１７ａに端部アダプター１４の固定凹所１６を嵌合固定することができる。従って、パネル幅寸法の異なる間仕切パネル１７（１７Ａ，１７Ｂ）の係合凹部として、端部アダプター１４を兼用することができ、部品点数を削減することができる。
さらにまた、本実施形態では、壁面側に固定されるアダプター１１及びこれに連結固定される端部アダプター１４の長さ寸法をいずれも間仕切パネル１７の高さ寸法と略同寸法としている。従って、パネル固定フレーム１０に固定されるアダプター１１に対して間仕切パネル１７を安定的に連結固定することができる。
【００３７】
なお、アダプター１１と間仕切パネル１７の一側端部１７ａとに設けられる係合突部及び係合凹部としては、上記のようなものに限られず、互いに凹凸係合し、固定止具９によって着脱自在に連結固定される構造のものであればどのようなものでもよい。例えば、間仕切パネル１７の一側端部自体を係合突部として把握し、断面略コ字状のアダプター１１の開口に係合させる態様としてもよい。その他、種々の係合突部及び係合凹部の採用が可能である。
また、本実施形態では、間仕切パネル１７の上端部及び下端部のそれぞれにアジャスター１８，１９を設けた例を示しているが、いずれか一方のみを設ける態様としてもよい。または、このようなアジャスター１８，１９を設けない態様としてもよい。この場合、間仕切パネル１７の前端部等を天井面３や床面４等に固定する固定金具を設けるようにしてもよい。
【符号の説明】
【００３８】
１                    間仕切装置
２                    壁下地
５                    パネル体
５ａ                  パネル体の側端部
９                    固定止具
１０                  パネル固定フレーム
１０ａ                パネル固定フレームの前面
１１                  アダプター
１２                  固定片
１３                  係合突片（係合突部）
１４                  端部アダプター
１５                  係合凹所（係合凹部）
１６                  固定凹所
１７，１７Ａ，１７Ｂ  間仕切パネル
１７ａ                間仕切パネルの一側端部
１８，１９            アジャスター
【図１】
2012197594.tif 000003
【図２】
2012197594.tif 000004